(57)【特許請求の範囲】
【請求項１】
端末で行うディスプレイ部電源制御方法であって、
前記端末の遠隔制御のための信号である前記ディスプレイ部の電源遮断イベントが発生した場合、前記ディスプレイ部の電源を予め設定された時間まで遮断するステップと、
予め設定された復元条件を満たす場合、前記ディスプレイ部の電源を復元するステップをと含み、
前記予め設定された復元条件を満たす場合、前記ディスプレイ部の電源を復元させるステップは、
前記予め設定された復元条件を満たさない場合、前記予め設定された時間の間隔ごとに前記ディスプレイ部の電源遮断を指示する遮断制御信号を前記ディスプレイ部に繰り返して提供する、ディスプレイ電源制御方法。
【請求項２】
前記予め設定された復元条件は、
前記電源遮断イベントに相応して実行されるタスク(ｔａｓｋ)が終了し、前記予め設定された時間が到来した場合、又は前記予め設定された時間が到来した場合であることを特徴とする、請求項１に記載のディスプレイ電源制御方法。
【請求項３】
前記ディスプレイ部の電源を予め設定された時間まで遮断するステップは、
前記電源遮断イベントに相応して実行されるタスクを行うステップと、
前記ディスプレイ部の電源遮断を指示する遮断制御信号を前記ディスプレイ部に提供するステップとを含むことを特徴とする、請求項１に記載のディスプレイ電源制御方法。
【請求項４】
ディスプレイ部と、
端末の遠隔制御のための信号により発生した電源遮断信号を、設けられた制御アプリケーションから受信して前記電源遮断信号に基づいて前記ディスプレイ部電源を遮断し、予め設定された復元条件を満たす場合、前記ディスプレイ部の電源を復元させる制御部とを含み、
前記制御部は、
前記予め設定された復元条件を満たさない場合、予め設定された時間の間隔ごとに前記ディスプレイ部の電源遮断を指示する遮断制御信号を前記ディスプレイ部に繰り返して提供することを特徴とする、端末。
【請求項５】
前記予め設定された復元条件は、
前記電源遮断信号に相応して実行されるタスク(ｔａｓｋ)が終了し、前記予め設定され
た時間が到来した場合、または前記予め設定された時間が到来した場合であることを特徴とする、請求項４に記載の端末。
【請求項６】
ディスプレイ部と、
メモリと、
前記メモリに保存されている制御アプリケーションを読み出して行うことにより、前記ディスプレイ部の電源遮断が必要であるかを判断し、判断の結果、前記ディスプレイ部の電源遮断が必要なものと判断されれば、前記ディスプレイ部の電源を遮断し、予め設定された復元条件を満たす場合、前記ディスプレイ部の電源を復元させるプロセッサとを含み、
前記プロセッサは、端末の遠隔制御のための信号により発生する電源遮断信号に基づいて前記ディスプレイ部の電源遮断の必要性の可否を判断し、前記予め設定された復元条件を満たさない場合、予め設定された時間の間隔ごとに前記ディスプレイ部の電源遮断を指示する遮断制御信号を前記ディスプレイ部に繰り返して提供することを特徴とする、端末。
【発明の詳細な説明】
【技術分野】
【０００１】
本発明は、端末制御に関し、より詳細には、端末のバッテリー消耗を減らすためのディスプレイ部制御方法、及びこれを行う端末に関する。
【背景技術】
【０００２】
従来の情報処理装置において、端末を遠隔制御する場合、情報処理装置に設けられたコンソールソフトウェア(制御ソフトウェア)と連結された端末のアプリケーションは、遠隔制御する間、ディスプレイ部の電源を遮断する信号をディスプレイ部に伝送し、端末のバッテリーの寿命を延長した。
【０００３】
また、端末のアプリケーションは、遠隔制御が終了したと判断されれば、ディスプレイ部の電源を復元する信号をディスプレイ部に伝送し、ディスプレイ部の電源を復元させる。
【０００４】
しかし、端末のアプリケーションがディスプレイ部の電源を遮断する信号をディスプレイ部に伝送した後、非正常的に終了された場合、ディスプレイ部の電源を復元させる信号を伝送することができず、ディスプレイ部の電源が続いて遮断された状態で復元することができない問題点がある。
【発明の概要】
【発明が解決しようとする課題】
【０００５】
前記のような問題点を解決するための本発明の目的は、バッテリーの消耗を減らしながら端末のディスプレイ部の電源復元エラーを防止することができる端末のディスプレイ部の電源制御方法を提供するものである。
【０００６】
また、本発明の他の目的は、前記ディスプレイ部の電源制御方法を行う端末を提供するものである。
【課題を解決するための手段】
【０００７】
前記の目的を達成するための本発明の一実施例によるディスプレイ電源制御方法は、端末で行うディスプレイ電源制御方法において、前記ディスプレイ部の電源遮断イベントが発生した場合、前記ディスプレイ部の電源を予め設定された時間の間に遮断するステップ、及び予め設定された復元条件を満たす場合、前記ディスプレイ部の電源を復元するステップを含む。
【０００８】
ここで、前記予め設定された復元条件は、前記電源遮断イベントに相応して実行されるタスク(ｔａｓｋ)が終了し、前記予め設定された時間が到来した場合、又は前記予め設定された時間が到来した場合であり得る。
【０００９】
ここで、前記ディスプレイ部の電源を予め設定された時間の間に遮断するステップは、前記電源遮断イベントに相応して実行されるタスクを行うステップ、及び前記ディスプレイ部の電源遮断を指示する遮断制御信号を前記ディスプレイ部に提供するステップを含み得る。
【００１０】
ここで、前記予め設定された復元条件を満たす場合、前記ディスプレイ部の電源を復元させるステップは、前記予め設定された復元条件を満たさない場合、前記予め設定された時間の間隔ごとに前記遮断制御信号を前記ディスプレイ部に繰り返して提供することができる。
【００１１】
ここで、前記電源遮断イベントは、前記端末の遠隔制御のための信号であり得る。
【００１２】
また、本発明の他の目的を達成するための本発明の一実施例による端末によれば、ディスプレイ部、及び設けられた制御アプリケーションから受信された前記ディスプレイ部の電源遮断信号に基づいて前記ディスプレイ部の電源を遮断し、予め設定された復元条件を満たす場合、前記ディスプレイ部の電源を復元させる制御部を含む。
【００１３】
ここで、前記予め設定された復元条件は、前記電源遮断信号に相応して行われるタスク(ｔａｓｋ)が終了し、前記予め設定された時間が到来した場合、または前記予め設定された時間が到来した場合であり得る。
【００１４】
ここで、前記制御部は、前記予め設定された復元条件を満たさない場合、前記予め設定された時間の間隔ごとに前記遮断制御信号を前記ディスプレイ部に繰り返して提供することができる。
【００１５】
また、本発明の他の目的を達成するための本発明の一実施例による端末によれば、ディスプレイ部と、メモリ、及び前記メモリに保存されている制御アプリケーションを読み出して行うことにより、前記ディスプレイ部の電源遮断が必要であるかを判断し、判断の結果、前記ディスプレイ部の電源遮断が必要なものと判断されると、前記ディスプレイ部の電源を遮断し、予め設定された復元条件を満たす場合、前記ディスプレイ部の電源を復元させるプロセッサを含む。
【００１６】
ここで、前記プロセッサは、前記予め設定された復元条件を満たさない場合、前記予め設定された時間の間隔ごとに前記遮断制御信号を前記ディスプレイ部に繰り返して提供することができる。
【発明の効果】
【００１７】
前記のような本発明の一実施例によるディスプレイ部の制御方法、及びこれを行う端末によると、ディスプレイ部の電源が遮断された後、予め設定された時間が到来するまでディスプレイ部の電源を遮断するイベントが発生しない場合、ディスプレイ部の電源を自動的に復元させる。
【００１８】
したがって、端末装置に設けられた所定の制御アプリケーションが非正常的に終了された場合でも、予め設定された時間が到来すると、ディスプレイ部に電源を復元することができ、ディスプレイ部の復元エラーを防止することができる。
【図面の簡単な説明】
【００１９】
【図１】本発明の一実施例によるディスプレイ部の制御システムの構成を示す。
【図２】本発明の一実施例によって、ディスプレイ部の電源制御方法を示すフローチャートである。
【図３】本発明の一実施例による端末の構成を示すブロック図である。
【図４】図３に示した端末の実際の構成を示す例示図である。
【発明を実施するための形態】
【００２０】
本発明は、多様な変更を加えることができ、様々な実施例を持つことができるところ、特定の実施例を図面に例示し、詳細に説明する。
【００２１】
しかし、これは本発明を特定の実施形態に対して限定しようとするものではなく、本発明の思想及び技術の範囲に含まれるすべての変更、均等物ないし代替物を含むものと理解されなければならない。
【００２２】
第１、第２などの用語は多様な構成要素を説明するのに使用することができるが、前記構成要素は、前記用語によって限定されてはならない。前記用語は一つの構成要素を他の構成要素から区別する目的にのみ使用される。例えば、本発明の権利範囲を外れない範囲で第１構成要素は第２構成要素と命名することができ、また第２構成要素も第１構成要素と命名することができる。及び/又はという用語は、複数の関連する記載された項目の組合せまたは複数の関連する記載の項目のいずれかを含む。
【００２３】
どのような構成要素が他の構成要素に『連結されて』いたり、『接続されて』いると言及されたときには、その他の構成要素に直接的に連結されていたり、または接続されている可能性もあるが、間に他の構成要素が存在しうると理解されるべきものである。反面、どのような構成要素が他の構成要素に『直接連結されて』いたり、『直接接続されて』いると言及されたときには、間に他の構成要素が存在しないものと理解されるべきものである。
【００２４】
本出願で使用した用語は、ただ特定の実施例を説明するために使用されたもので、本発明を限定しようとする意図はない。単数の表現は、文脈上の明らかに定義しない限り、複数の表現を含む。本出願で、『含む』、又は『有する』などの用語は、明細書上に記載された特徴、数字、ステップ、動作、構成要素、部品又はこれらを組み合わせたものが存在することを指定するためのもので、一つまたはそれ以上の他の特徴や数字、ステップ、動作、構成要素、部品又はこれらを組み合わせたものの存在、又は付加可能性を予め排除しないものと理解されなければならない。
【００２５】
特に定義されない限り、技術的または科学的な用語を含めて、ここで使用されるすべての用語は、本発明が属する技術分野で通常の知識を有する者によって一般的に理解されるのと同じ意味を持っている。一般的に使用される事前に定義されているのと同一の用語は、関連技術の文脈上持つ意味と一致する意味を持つものと解釈されるべきで、本出願で明白に定義しない限り、理想的、又は過度に形式的な意味で解釈されない。
【００２６】
以下、添付の図面を参照して、本発明の好ましい実施例をより詳細に説明する。本発明を説明するにおいて、全体的な理解を容易にするため、図面上の同じ構成要素に対しては、同一の参照符号を使用し、同じ構成要素に対して重複された説明は省略する。
【００２７】
以下、本発明の一実施例で情報処理装置は、デスクトップパソコンだけでなく、ノートパソコン、パームトップ(ｐａｌｍｔｏｐ)パソコン、ＵＭＰＣ(Ｕｌｔｒａ  ＭｏｂｉｌｅＰｅｒｓＯＮａｌ  Ｃｏｍｐｕｔｅｒ)、タブレットＰＣ、個人携帯情報端末機(ＰＤＡ、ＰｅｒｓＯＮａｌ  Ｄｉｇｉｔａｌ  Ａｓｓｉｔａｎｔ)、ウェブパッド、携帯電話などの多様なデジタル情報処理装置であり得、端末と連結時、ホスト(host)機能を行うことができる。
【００２８】
また、本発明の一実施例で端末は、例えばスマートフォン、携帯電話、ＰＤＡ(ＰｅｒｓＯＮａｌ  Ｄｉｇｉｔａｌ  Ａｓｓｉｔａｎｔ)などのような移動通信端末装置であり得、ＰＭＰ（Ｐｏｒｔａｂｌｅ  Ｍｕｌｔｉｍｅｄｉａ  Ｐｌａｙｅｒ）、スマートプレイヤー、パッド型端末装置などのような多様なデジタル情報処理装置であり得る。
【００２９】
図１は、本発明の一実施例によるディスプレイ部の制御システムの構成を示す。
【００３０】
以下、情報処理装置１００と端末３００は、ＵＳＢ(Ｕｎｉｖｅｒｓａｌ Ｓｅｒｉａｌ Ｂｕｓ)、ＷｉＦｉ、ブルートゥース、移動通信網(３Ｇ、４Ｇ)などを通じてネットワーク連結されるものと想定する。
【００３１】
図１を参照すると、情報処理装置１００は、端末３００を遠隔で制御しており、端末３００の形状と行われているプログラムが情報処理装置１００にディスプレイされる。
【００３２】
端末３００は、情報処理装置１００からの遠隔制御を受けている場合、遠隔制御が始まると同時に予め設定された時間の間、端末３００のディスプレイ(図３の３０５参照)を遮断して不要なバッテリー消耗を防止する。
【００３３】
また、端末３００は、予め設定された時間が到来したと判断されれば、端末３００のディスプレイ(図３の３０５参照)の電源を自動的に復元させる。
【００３４】
したがって、本発明の一実施例による端末３００は、予め設定された時間の間にディスプレイ部(図３の３０５参照)電源を遮断し、予め設定された時間が到来すると、ハードウェア的にディスプレイ部(図３の３０５参照)の電源を自動復元させるように構成され、端末３００のディスプレイ部(図３の３０５参照)が復元エラー現象を起こすことを防止することができる。
【００３５】
図２は、本発明の一実施例によって、ディスプレイ部電源制御方法を示すフローチャートである。
【００３６】
図２を参照すると、端末は、ディスプレイ部の電源を遮断しなければならないイベントが発生したかどうかを判断する(Ｓ２１０）。
【００３７】
たとえば、前記イベントの発生は、端末が動作中であり、又はディスプレイがオン(ＯＮ)状態となる必要がない場合に発生する。具体的には、例えば、端末が遠隔制御を受ける場合、遠隔制御を行う情報処理装置(図１の１００参照)が端末のディスプレイの画面を表示しているため、端末ではディスプレイがオン状態となる必要がなくなる。このような場合、端末が遠隔制御を受ける場合、端末のディスプレイをオフ(ＯＦＦ)にして端末のバッテリーの消耗を減らすことができる。
【００３８】
ここで、Ｓ２１０は端末に含まれた制御部が予め設けられた制御アプリケーションからディスプレイ部の電源遮断信号を受信したかどうかで行うことができる。
【００３９】
ここで、制御部は、ソフトウェアＯＳ(Ｏｐｅｒａｔｉｎｇ Ｓｙｓｔｅｍ)と連動するためにシステムドライバの形でＡＰＩ(Ａｐｐｌｉｃａｔｉｏｎ Ｐｒｏｇｒａｍｍｉｎｇ Ｉｎｔｅｒｆａｃｅ)から構成されており、一般のアプリケーションが制御部を容易に利用することができるように構成されている。
【００４０】
端末は、Ｓ２１０を通じてディスプレイ部の電源を遮断しなければならないイベントが発生したものと判断されると、イベントに関連するタスク(ｔａｓｋ)を開始し、それと同時にディスプレイ部の電源を遮断させる(Ｓ２２０)。ここで、タスクは、例えば遠隔制御と関連されたものであり得る。
【００４１】
ここで、Ｓ２２０は、前記制御部が予め設けられた制御アプリケーションからディスプレイ部の電源遮断信号を受信し、受信されたディスプレイ部の電源遮断信号に基づいてディスプレイ部の電源を遮断することにより、行うことができる。
【００４２】
以後、端末はディスプレイ部の電源を遮断した時点から、予め設定された時間が到来したかどうかを判断している(Ｓ２３０)。
【００４３】
端末は、Ｓ２３０を通じてディスプレイ部の電源を遮断した時点から、予め設定された時間が到来したものと判断されると、現在、実行中のタスクが終了しているかを判断する(Ｓ２４０)。
【００４４】
ここで、Ｓ２４０はＳ２３０と同時に、またはＳ２３０の予め設定された時間が到来する前に行われることが好ましい。
【００４５】
端末は、Ｓ２４０を通じて現在のタスクが終了されていないものと判断されると、Ｓ２１０に戻ってＳ２１０から再び行うことができる。
【００４６】
または、端末は、Ｓ２４０を通じて現在のタスクが終了したものと判断されると、ディスプレイ部の電源を復元する(Ｓ２５０)。
【００４７】
ここで、ディスプレイ部は、端末に取り付けられるディスプレイユニットを意味するものであって、たとえば、ＴＦＴ  ＬＣＤ(Ｔｈｉｎ Ｆｉｌｍ Ｔｒａｎｓｉｓｔｏｒ)モジュール、ＡＭ  ＯＬＥＤ(Ａｃｔｉｖｅ Ｍａｔｒｉｘ Ｏｒｇａｎｉｃ Ｌｉｇｈｔ−Ｅｍｉｔｔｉｎｇ Ｄｉｏｄｅ)モジュールなどから構成されている。
【００４８】
したがって、本発明の一実施例によるディスプレイ部の電源制御方法によれば、ソフトウェアが分からないという理由で消えてしまって、ディスプレイ部の電源遮断、または電源復元信号を伝送しない場合にも予め設定された時間が到来すると、制御部がディスプレイ部に電源を自動的に復元させることができる。
【００４９】
図３は、本発明の一実施例によるディスプレイ部制御方法を行う端末の構成を示すブロック図である。
【００５０】
図３を参照すると、本発明の一実施例による端末３００は、制御アプリケーション３０１、制御部３０３、及びディスプレイ部３０５を含み得る。
【００５１】
端末３００に設けられた制御アプリケーション３０１は、ディスプレイ部３０５の電源遮断信号、又はディスプレイ部３０５の電源復元信号を制御部３０３に伝送することができる。
【００５２】
また、制御アプリケーション３０１は、ディスプレイ部３０５の電源遮断信号を制御部３０３に伝送した後、ディスプレイ部３０５の電源遮断を維持する必要がある場合(たとえば、端末３００が遠隔制御されている場合など)と判断されると、周期的にディスプレイ部３０５の電源遮断信号を制御部３０３に伝送することができる。
【００５３】
制御部３０３は、制御アプリケーション３０１からディスプレイ部３０５の電源遮断信号を受信し、受信されたディスプレイ部３０５の電源遮断信号に基づいてディスプレイ部３０５の電源を遮断する。
【００５４】
また、制御部３０３は、ディスプレイ部３０５の電源を遮断するとともに予め設定された時間が到来したか否かを判断する。
【００５５】
また、制御部３０３は、予め設定された時間が到来したものと判断されると、制御アプリケーション３０１からディスプレイ部の電源遮断信号が追加的に受信されたかを判断する。
【００５６】
制御部３０３は、制御アプリケーション３０１からディスプレイ部の電源遮断信号が追加的に受信されたと判断されれば、ディスプレイ部３０５の電源を遮断し、予め設定された時間をリセット(ｒｅｓｅｔ)する。
【００５７】
以後、制御部３０３は、リセットされた予め設定された時間が到来したかどうかを判断してディスプレイ部３０５の電源を遮断、または復元させる動作を行う。
【００５８】
または、制御部３０３は、ディスプレイ部の電源遮断信号が追加的に受信されていないと判断されれば、ディスプレイ部３０５の電源を復元させる。
【００５９】
ここで、制御部３０３は、制御アプリケーション３０１を例にあげて、ソフトウェアＯＳ(Ｏｐｅｒａｔｉｎｇ Ｓｙｓｔｅｍ)と連動するため、システムドライバの形でＡＰＩ(Ａｐｐｌｉｃａｔｉｏｎ Ｐｒｏｇｒａｍｍｉｎｇ Ｉｎｔｅｒｆａｃｅ)から構成され、制御アプリケーション３０１が制御部３０３を容易に利用することができるように構成されている。
【００６０】
ディスプレイ部３０５は、端末に取り付けられるディスプレイユニットを意味するものであって、たとえば、ＴＦＴ  ＬＣＤ(Ｔｈｉｎ Ｆｉｌｍ Ｔｒａｎｓｉｓｔｏｒ)モジュール、ＡＭ  ＯＬＥＤ(Ａｃｔｉｖｅ Ｍａｔｒｉｘ Ｏｒｇａｎｉｃ Ｌｉｇｈｔ−Ｅｍｉｔｔｉｎｇ Ｄｉｏｄｅ)モジュールなどから構成されており、制御部の制御に相応してオン、またはオフされ得る。
【００６１】
したがって、本発明の一実施例によるディスプレイ部の電源制御方法を行う端末３００によると、制御部が予め設定された時間が到来すると、自動的にディスプレイ部の電源を復元させることができ、制御アプリケーションが分からない理由で消えてしまって電源復元信号を伝送しなくてもディスプレイ部が続けて消えている現象を防ぐことができる。
【００６２】
図４は、図３に示した端末の実際の構成を示した例示図である。
【００６３】
図４を参照すると、本発明の一実施例による端末３００は、プロセッサ３１０、及びメモリ３２０を含み得る。
【００６４】
まず、プロセッサ３１０は、実質的に図３に示した制御アプリケーション３０１、及び制御部３０３の機能を行うことができる。
【００６５】
即ち、プロセッサ３１０は、メモリ３２０に保存された制御アプリケーション３０１を読み出して行うことにより、ディスプレイ部３０５の電源遮断が必要であるかを判断し、判断結果、ディスプレイ部３０５の電源遮断が必要であると判断されれば、ディスプレイ部３０５の電源を遮断することができる。
【００６６】
また、プロセッサ３１０は、ディスプレイ部３０５を遮断した後、予め設定された時間以内に前記実行された制御アプリケーション３０１を通じてディスプレイ部３０５の電源遮断が必要であると判断されれば、ディスプレイ部３０５の電源を遮断し、前記予め設定された時間をリセットさせることができる。
【００６７】
メモリ３２０は、図３の制御アプリケーション３０１が保存されることがあり、フラッシュメモリ、ローム、ハードディスクドライブなどの不揮発性保存装置から構成され得る。
【００６８】
また、本発明の他の実施例では前記制御部３０３は、別途のハードウェア素子から構成され、プロセッサ３１０から提供された信号に応じて予め設定された時間が到来すると、ディスプレイ部３０５の電源を復元させるように構成することもできる。
【００６９】
以上、実施例を参照して説明したが、この技術分野の熟練した当業者は、下記の特許請求の範囲に記載された本発明の思想及び領域から外れない範囲内で本発明を多様に変更、及び変更することができることが分かるであろう。
【符号の説明】
【００７０】
１００      情報処理装置
３００      端末
３０１      制御アプリケーション
３０３      制御部
３０５      ディスプレイ部
３１０      プロセッサ
３２０      メモリ
【図３】
0005753220.tif 000002
【図４】
0005753220.tif 000003
【図１】
0005753220.tif 000004
【図２】
0005753220.tif 000005